(57)【要約】【課題】カメラ付き携帯端末を、折り畳み状態で操作しやすい入力装置として使用できるようにする。【解決手段】開示されるカメラ付き携帯端末１０１は、接写モードに切り替え可能なカメラモジュール１０２と、カメラ周辺に手指が触れたことを検出するためのタッチセンサ１０３と、カメラモジュールを手指で覆った場合に手指を照明するための光源１０４と、画像を可視表示するための表示部１０５と、カメラモジュールと手指との接触を防止してカメラモジュールを保護する保護用透明板２０３とを備え、表示部を表側にして折り畳み可能に構成されている。【選択図】図１
2009218758.tif 000002
【特許請求の範囲】
【請求項１】
表示部を表側にして折り畳み可能なように構成されているカメラ付き携帯端末であって、
接写モードに切り替えたとき入力装置として動作可能なカメラモジュールと、
前記カメラモジュールの前面に設けられた保護用透明板と、
前記カメラモジュールを手指が覆ったときに、外光の代わりに手指を照明する機能を備えた光源と、
カメラ付き携帯端末の表面に手指が触れたことを検出する機能を有するタッチセンサと、
を備えたことを特徴とするカメラ付き携帯端末。
【請求項２】
カメラ付き携帯端末であって、タッチセンサの下部に突起部を有し、該突起部によってタッチセンサの上面が保護用透明板より高くなるように構成されていることを特徴とするカメラ付き携帯端末。
【請求項３】
前記光源が赤外ＬＥＤ（Light Emitting Diode) からなることを特徴とする請求項１又は２記載のカメラ付き携帯端末。
【請求項４】
前記光源が、使用者がタッチセンサに手指を触れたことによってオンになるように構成されていることを特徴とする請求項１又は２記載のカメラ付き携帯端末。
【請求項５】
前記表示部が、前記カメラ付き携帯端末の画面上を移動可能なカーソルによって指示することによって、前記カメラ付き携帯端末が有する各種機能を実行させる複数のボタンの可視表示を行うものであることを特徴とする請求項１又は２記載のカメラ付き携帯端末。
【請求項６】
表示部を表側にして折り畳み可能なように構成されているカメラ付き携帯端末であって、
接写モードに切り替えたとき入力装置として動作可能なカメラモジュールと、
前記カメラモジュールの前面に設けられた保護用透明板と、
前記カメラモジュールを手指が覆ったときに、外光の代わりに手指を照明する機能を備えた光源と、
カメラ付き携帯端末の表面に手指が触れたことを検出する機能を有するタッチセンサと、
を備えたことを特徴とするカメラ付き携帯端末。
【請求項７】
カメラ付き携帯端末であって、保護用透明板が、カメラ付き携帯端末の外筐面より凹んだ位置に設けられていることを特徴とするカメラ付き携帯端末。
【請求項８】
前記光源が赤外ＬＥＤからなることを特徴とする請求項６又は７記載のカメラ付き携帯端末。
【請求項９】
前記光源が、使用者がタッチセンサに手指を触れたことによってオンになるように構成されていることを特徴とする請求項６又は７記載のカメラ付き携帯端末。
【請求項１０】
前記表示部が、前記カメラ付き携帯端末の画面上を移動可能なカーソルによって指示することによって、前記カメラ付き携帯端末が有する各種機能を実行させる複数のボタンの可視表示を行うものであることを特徴とする請求項６又は７記載のカメラ付き携帯端末。
【発明の詳細な説明】
【技術分野】
【０００１】
この発明は、表示部を表にして折り畳み可能なカメラ付き携帯端末装置において、カメラレンズの周囲にセンサを配置し、センサ入力とカメラ入力の両データを組み合わせることによって、折り畳み状態で操作しやすい入力装置とした、カメラ付き携帯端末に関する。
【背景技術】
【０００２】
携帯型端末は、近年においてその形態，機能が多様化されるとともに、表示部も大型化される傾向にある。
そして、携帯型端末を入力装置として使用する場合には、小型であって複雑な動作を行えるものが求められている。
【０００３】
従来、表示部を表にして折り畳み可能な携帯端末装置において、カメラレンズの周囲にセンサを配置し、センサ入力とカメラ入力の両データを組み合わせることによって、折り畳み状態で操作しやすい入力装置を実現することはできなかった。
【０００４】
これに対して特許文献１においては、光路となる開口部に臨む位置と退避位置とを移動可能な赤外線カットフィルタ羽根、赤外線カットフィルタ羽根を駆動する電磁駆動源、開口部の後方に配置されたＣＣＤ、開口部に近接した指を照射する可視光源及び赤外光源、電磁駆動源を駆動制御する制御手段を備え、制御手段は、操作者の認証モードにおいて、可視光源を点灯させたとき赤外光カットフィルタ羽根を開口部に望む位置に移動させ、赤外光源を点灯させたとき赤外光カットフィルタ羽根を退避位置に移動させる。このように、赤外光カットフィルタ羽根を開口部に対して可動としたことにより、通常の撮影を行えると同時に、認証の際の生体情報（指紋，血管）を撮影することができる、カメラ及びカメラ付き携帯情報端末装置が開示されている。
【０００５】
このように、特許文献１記載の技術によれば、認証機能を備えたカメラが提供される旨が記載されている。
しかしながら、特許文献１記載の技術では、表示部を表にして折り畳み可能な携帯端末装置において、カメラレンズの周囲にセンサを配置し、センサ入力とカメラ入力の両データを組み合わせることによって、折り畳み状態で操作しやすい入力装置を実現することはできない。
【０００６】
また、特許文献２においては、カメラから入力される判定対象物の移動軌跡と、携帯端末に実行させる特定動作とを関連付けて記憶する移動軌跡記憶部を備えたカメラ付き携帯端末において、所定の判定エリアにセットされた判定対象物の特徴点と、判定開始後入力される判定開始後入力される判定対象物の特徴点とに基づいて、判定対象物の移動軌跡を算出して判定対象物の移動軌跡に応じた特定動作を実行する手段と、少なくとも、判定対象物の移動軌跡の判定中であることをユーザに対して通知する手段とを備えた、携帯端末及びプログラムが開示されている。
【０００７】
このように、特許文献２記載の技術では、カメラを利用し、手指の動きによって非接触式の操作を可能とする携帯端末用の入力インタフェースの操作性の向上を図る旨が記載されている。
しかしながら、特許文献２記載の技術では、表示部を表にして折り畳み可能な携帯端末装置において、カメラレンズの周囲にセンサを配置し、センサ入力とカメラ入力の両データを組み合わせることによって、折り畳み状態で操作しやすい入力装置を実現することはできない。
【０００８】
また、特許文献３においては、カメラ付き携帯電話端末は、カメラから入力された手指の移動軌跡に関連付けられた動作を実行するカメラ入力インタフェースを備え、更に、補助ディスプレイに、手指の移動軌跡と特定の動作との対応関係を示す補助ガイダンス情報を出力するとともに、入力を受け付けた手指の移動軌跡をメインディスプレイの表示内容に重ねるように描画し、ユーザに受け付けた手指の移動軌跡を認識させる、携帯端末及びプログラムが開示されている。
【０００９】
このように、特許文献３記載の技術によれば、入力内容と手指の動きとの対応関係を把握していなくとも利用可能であり、かつ、その入力受付状況を正しく把握できるようにしたカメラ入力インタフェース付き携帯端末が提供される旨が記載されている。
しかしながら、特許文献２記載の技術では、表示部を表にして折り畳み可能な携帯端末装置において、カメラレンズの周囲にセンサを配置し、センサ入力とカメラ入力の両データを組み合わせることによって、折り畳み状態で操作しやすい入力装置を実現することはできない。
【特許文献１】特開２００６−３１１３５８号公報
【特許文献２】特開２００７−０４２０２０号公報
【特許文献３】特開２００７−２１３２４５号公報
【発明の開示】
【発明が解決しようとする課題】
【００１０】
従来、表示部を表にして折り畳み可能なカメラ付き携帯端末装置において、表示部を表にして折り畳んだ状態で操作可能な操作部を設けるためには、表示部を小さくするか、または装置を大きくしなければならなかった。
そして、操作部としてタッチセンサを用いた場合は、表示部のためにある程度の面積を確保しなければ、移動量の検出を正しく行うことはできないという課題があった。
【００１１】
また、カメラを入力装置として使用する場合には、カメラレンズ部に指を触れると指紋等の汚れが付着して、通常のカメラ撮影時に汚れが写ったり、光量が減少したりすることがあった。また、カメラレンズを完全に指で覆ってしまった場合には光が入らないため、カメラ入力を行うことができないという問題があった。
さらに、カメラをオンにするためのトリガがないため、カメラ入力の可能性がある場合には、常時、カメラをオンにしておく必要があり、そのため消費電力が増大して、携帯端末装置のバッテリ使用可能時間を低下させてしまうという問題もあった。
【００１２】
この発明は上述の事情に鑑みてなされたものであって、表示部を表にして折り畳み可能なカメラ付き携帯端末装置において、カメラレンズの周囲にセンサを配置し、センサ入力とカメラ入力の両データを組み合わせることによって、折り畳み状態で操作しやすい入力装置を提供することを目的としている。
【課題を解決するための手段】
【００１３】
上記課題を解決するため、この発明の第１の構成はカメラ付き携帯端末に係り、表示部を表側にして折り畳み可能なように構成されているカメラ付き携帯端末であって、接写モードに切り替えたとき入力装置として動作可能なカメラモジュールと、前記カメラモジュールの前面に設けられた保護用透明板と、前記カメラモジュールを手指が覆ったときに、外光の代わりに手指を照明する機能を備えた光源と、カメラ付き携帯端末の表面に手指が触れたことを検出する機能を有するタッチセンサとを備えるとともに、前記タッチセンサの下部に突起部を有し、該突起部によってタッチセンサの上面をカメラ付き携帯端末の外筐面より高くするように構成されていることを特徴としている。
【００１４】
また、この発明の第２の構成はカメラ付き携帯端末に係り、表示部を表側にして折り畳み可能なように構成されているカメラ付き携帯端末であって、接写モードに切り替えたとき入力装置として動作可能なカメラモジュールと、前記カメラモジュールの前面に設けられた保護用透明板と、前記カメラモジュールを手指が覆ったときに、外光の代わりに手指を照明する機能を備えた光源と、カメラ付き携帯端末の表面に手指が触れたことを検出する機能を有するタッチセンサとを備えるとともに、前記保護用透明板が、カメラ付き携帯端末の外筐面より凹んだ位置に設けられていることを特徴としている。
【発明の効果】
【００１５】
本発明のカメラ付き携帯端末によれば、携帯端末に実装されいてるカメラを用いて入力装置としているので、装置の小型化及び表示部の大画面化を実現することができる。
また、本発明のカメラ付き携帯端末によれば、カメラとタッチセンサの組み合わせによって入力を行うように構成されているので、誤操作を防止して、使用者の意図するように自在に操作することができる。
【発明を実施するための最良の形態】
【００１６】
図１に示すように、この例のカメラ付き携帯端末１０１は、カメラモジュール１０２と、タッチセンサ１０３と、光源１０４と、表示部１０５とを備えている。
カメラ付き携帯端末１０１は、表示部１０５を表側にして２つ折りに折り畳み可能な携帯電話端末からなっている。カメラモジュール１０２は、カメラ付き携帯端末１０１に組み込まれた、接写モードに切り替え可能なレンズ機構であって、カメラ付き携帯端末１０１は、接写モードに切り替えることによって、入力装置として使用することができるようになる。
【００１７】
タッチセンサ１０３は、カメラ付き携帯端末１０１の前面に設けられ、カメラ付き携帯端末の表面のカメラモジュール１０２周辺に手指が触れたことを検出する機能を有している。光源１０４は、カメラモジュール１０２を手指で覆った場合に、外光の代わりに手指を照らし出す機能を有している。表示部１０５は、液晶パネル等からなりカメラ付き携帯端末１０１の表面に設けられていて、文字，記号等からなる各種の可視表示を行う機能を有している。
表示部１０５の表面には、カメラ付き携帯端末１０１の動作状態を示す複数のボタンが表示されていて、カーソル１０６を移動させることによって、現在の動作状態を示すボタンを指定することができるようになっている。
【００１８】
図２は、この例のカメラ付き携帯端末における、カメラモジュール２０１と、タッチセンサ２０２との詳細な構造を示す断面図である。
カメラモジュール２０１，タッチセンサ２０２，光源２０４は、それぞれ図１に示されたカメラモジュール１０２，タッチセンサ１０３，光源１０４と対応している。
【００１９】
保護用透明板２０３は、カメラ付き携帯端末の表側の外筐の内側に設けられていて、その下部に配置されたカメラモジュール２０１を保護する機能を有するものである。
光源２０４は、赤外ＬＥＤ（Light Emitting Diode) 等からなり、使用者が手指でタッチセンサ２０２を押さえて保護用透明板２０３を隠している状態で、外光に代わって使用者の手指を照明することによって、使用者の手指の動きを検出することができるようにする機能を有している。
【００２０】
突起部２０５はタッチセンサ２０２の位置を高くするためのものであって、この例の場合はタッチセンサ２０２の上面が保護用透明板２０３より高くなるようにして、カメラ付き携帯端末の使用時、使用者の手指が保護用透明板２０３に触れて指紋等の汚れが付着するのを防止する機能を有している。
【００２１】
以下、図３のフローチャートを用いて、図１，図２に示されたカメラ付き携帯端末の動作を説明する。
カメラ付き携帯端末１０１では、タッチセンサ２０２からの入力待ちの状態となっている（ステップＳ１０１）。この状態で、使用者がタッチセンサに手指を触れると、カメラ付き携帯端末の電源がオンになり、光源２０４の赤外ＬＥＤがオンになる（ステップＳ１０２）。そして、カメラ付き携帯端末を接写モードにして、カメラモジュール１０２から映像の定期的な取り込みを開始する（ステップＳ１０３）。
【００２２】
現在の画像と前回取り込んだ画像とを比較して（ステップＳ１０４）、画像の移動量だけカーソルを移動させる（ステップＳ１０５）。
なお、この際におけるカーソルの移動方向は、カメラ付き携帯端末１０に対して、縦方向の場合に限らず、斜め方向や横方向であってもよい。
【００２３】
カーソルの移動量≧いずれかのボタン間に対応する移動量であることによって、カーソルがボタン間の距離分移動したか否かをみる（ステップＳ１０６）。
カーソルの移動量がいずれかのボタン間に対応する移動量であったときは、クリック動作を行うことによって（ステップＳ１０７）、カーソル１０６の移動先に存在する位置に配置されたボタンを押す動作が行われる。
【００２４】
一方、ボタン間に対応するカーソルの移動が行われなかったときは、カメラ付き携帯端末１０１に対して一定時間、操作が行われなかったか否かをみて（ステップＳ１０８）、一定時間内に操作が行われたときは、ステップＳ１０４に戻って前回取り込まれた画像との比較を行う。
一定時間内に操作が行われなかったときは、カメラ付き携帯端末の電源がオフとなり、赤外ＬＥＤがオフにされて（ステップＳ１０９）、処理を終了する。
【００２５】
図４は、他の例のカメラ付き携帯端末における、カメラモジュール４０１と、タッチセンサ４０２との詳細な構造を示す断面図である。
カメラモジュール４０１，タッチセンサ４０２，光源４０４は、それぞれ図１に示されたカメラモジュール１０２，タッチセンサ１０３，光源１０４と対応している。
【００２６】
この例の場合は、保護用透明板２０３をカメラ付き携帯端末１０１の外筐面より凹ませることによって、カメラ付き携帯端末の使用時、使用者の手指が保護用透明板２０３に触れて、指紋等の汚れが付着するのを防止している。
【００２７】
図４に示された、他の例のカメラ付き携帯端末の動作を示すフローチャートは、図２に示されたカメラ付き携帯端末の場合と同じなので、詳細な説明を省略する。
【００２８】
以上、この発明の実施形態を図面により詳述してきたが、具体的な構成はこの実施形態に限られるものではなく、この発明の要旨を逸脱しない範囲の設計の変更等があってもこの発明に含まれる。例えば、図１に示された各ボタンの位置は図１の配置に限らず、これとは異なるものであってもよい。
【産業上の利用可能性】
【００２９】
この発明のカメラ付き携帯端末は、その他の機能や使用方法は任意であって、各種の用途のために利用することが可能である。
【図面の簡単な説明】
【００３０】
【図１】本発明のカメラ付き携帯端末を、表示部を表側にして折り畳んだ状態を示す外観図である。
【図２】タッチセンサの上面を保護用透明板より高くした場合の断面構造を示す図である。
【図３】本発明のカメラ付き携帯端末の動作を説明するためのフローチャートである。
【図４】保護用透明板をカメラ付き携帯端末の外筐面より凹ませた場合の断面構造を示す図である。
【符号の説明】
【００３１】
１０１    カメラ付き携帯端末
１０２，２０１，４０１    カメラモジュール
１０３，２０２，４０２    タッチセンサ
１０４，２０４，４０４    光源
１０５    表示部
１０６    カーソル
２０３    保護用透明板
２０５    突起部
【図１】
2009218758.tif 000003
【図２】
2009218758.tif 000004
【図３】
2009218758.tif 000005
【図４】
2009218758.tif 000006